(57)【要約】【課題】従来、バッグを持った人は、着席中または起立中に、傘などの長尺物を手で持つ場合は片手がふさがる、バッグのある部分に引っ掛ける場合は不安定で傘などの長尺物が倒れるなどの問題点があった。本発明は起立時から着席時、あるいはその反対の動作において、傘を保持しなおすことなく連続してバッグに保持可能となる、バッグに取り付ける傘ホルダを提供する。【解決手段】傘などの長尺物を起立させた状態で保持する開閉可能な保持ベルトが回転可能になるようバッグ側面あるいはバッグ側面に取り付けた土台ベルトにスナップボタンを用いて取り付けられ、両端に面ファスナーのついた土台ベルトあるいはバッグ側面に、未使用時、保持ベルトが一体化することができるようにする。【選択図】図１
2014128336.tif 000002
【特許請求の範囲】
【請求項１】
バックの一側面に土台ベルトを固定し、土台ベルトの両端に面ファスナーを取付け、中央にスナップボタンを設け、両端に面ファスナーを取付けた保持ベルトがスナップボタンを支点に回転自在になるようにスナップボタンを設けた、バッグに取り付ける傘ホルダ。
【請求項２】
保持ベルトの一端を二股にし、上段の保持ベルトの下面に面ファスナーを取付け、下段の保持ベルトの上面に面ファスナーを取付けた、請求項１のバッグに取り付ける傘ホルダ。
【請求項３】
保持ベルトを１枚にした、請求項１のバッグに取り付ける傘ホルダ。
【発明の詳細な説明】
【技術分野】
【０００１】
本発明は、座席に着席中および起立中に、傘などの長尺物をバッグ側面に保持するための、バッグに取り付ける傘ホルダに関するものである。
【背景技術】
【０００２】
従来、バッグを持った人は、着席中または起立中に、傘などの長尺物を手で持つかバッグのある部分に引っ掛けるなどしていた。なお、バッグの底面に傘などの長尺物を保持する機能を有し、着席中に使用可能なホルダ付きバッグの技術（特許文献１）が知られている。
【先行技術文献】
【特許文献】
【０００３】
【特許文献１】登録実用新案第３１６５７８７号公報
【特許文献２】特開２００５−６６２６６号公報
【特許文献３】特開２００３−１８９９２３号公報
【発明の概要】
【発明が解決しようとする課題】
【０００４】
従来、バッグを持った人は、着席中または起立中に、傘などの長尺物を手で持つ場合は片手がふさがる、バッグのある部分に引っ掛ける場合は不安定で傘などの長尺物が倒れるなどの問題点があった。なお、バッグの底面に長尺物を保持する機能を有し、着席中に使用可能なホルダ付きバッグの技術（特許文献１）があるが、着席中のみ使用可能であり起立中には使用できない問題点があった。
本発明は以上の問題点を解決するものである。
【課題を解決するための手段】
【０００５】
傘などの長尺物を起立させた状態で保持する開閉可能な保持ベルトが回転可能になるようバッグ側面あるいはバッグ側面に取り付けた土台ベルトにスナップボタンを用いて取り付けられ、両端に面ファスナーのついた土台ベルトあるいはバッグ側面に、未使用時、保持ベルトが一体化することができるようにする。又、保持ベルトの一端を二股にし、上段の保持ベルトの下面に面ファスナーを取り付け、下段の保持ベルトの上面に面ファスナーを取り付ける。又は保持ベルトを1枚に構成する。
以上の構成よりなる、バッグに取り付ける傘ホルダ。
【発明の効果】
【０００６】
従来、バッグを持った人は、着席中または起立中に、傘などの長尺物を手で持つ場合は片手がふさがり、バッグのある部分に引っ掛ける場合は不安定で傘などの長尺物が倒れるなどの問題点があった。そこで本発明により、着席中および起立中にバッグ側面に傘を保持することが可能となり、手が空いて着席中に本を読んだり、起立時は空いた手で吊り革を持ったりすることができて安全である。また、起立時から着席時、あるいはその反対の動作において、傘を保持しなおすことなく連続してバッグに保持可能となり、煩わしさがないという利点がある。
【図面の簡単な説明】
【０００７】
【図１】本発明の分解斜視図
【図２】本発明の分解側面図
【図３】未使用時の本発明の斜視図
【図４】着席してバッグ側面が膝の上に来るように載せている使用状態を示す平面図
【図５】起立してバッグを手に持っている状態での本発明の使用状態を示す斜視図
【図６】本発明において保持ベルトを1枚に構成した場合の分解側面図
【図７】本発明において保持ベルトを1枚に構成し、保持ベルトをひねらずに傘を保持するための面ファスナーを保持ベルトの一端の上面に取り付けた場合の分解側面図
【図８】着席中バッグ底面が膝の上に来るように載せる人のための取り付け状態を示す斜視図
【発明を実施するための形態】
【０００８】
以下、本発明の実施の形態を説明する。
（イ）図１に示すように、土台ベルト（４）の両端に面ファスナー（９，１０）を、中心付近にスナップボタン（６）を取り付け、バッグ側面（１）に固定する。固定の方法は、接着剤などを用いる。
（ロ）保持ベルト（２）の裏側の両端に面ファスナー（７，８）を、中央付近にスナップボタン（５）を取り付け、スナップボタン（６）にはめる。これにより、着席から起立時、その逆の動作とも、スナップボタン（５，６）を支点にして保持ベルト（２）が回転し、保持ベルト（２）の一端とその他端の下側の保持ベルト（３）によって包囲した傘（１３）などの長尺物を常に起立状態にすることができる。
（ハ）図２のように、保持ベルト（２）の裏側に、二股になるように保持ベルト（３）を取り付ける。取り付け方法は糸（１２）などで縫いつけて固定する。保持ベルト（３）の一端の保持ベルト（２）と接する面側に面ファスナー（１１）を取り付ける。保持ベルト（３）は面ファスナー（７）よりも内側に配置する。
（ホ）面ファスナー（１１）は面ファスナー（８）と重なるように、例えば、面ファスナー（１１）をメス型にした場合、面ファスナー（８）はオス型にし、面ファスナー（１０）をメス型にする。面ファスナー（７）と面ファスナー（９）はメス型とオス型の組み合わせとして重なるようにする。
（ヘ）図６のように保持ベルト（３）を外した簡易構造とする場合、面ファスナー（７）と面ファスナー（８）が重なるように、例えば、面ファスナー（７）をメス型にした場合、面ファスナー（８）をオス型にし、面ファスナー（９）をオス型、面ファスナー（１０）をメス型にする。
（ト）保持ベルト（３）を外した簡易構造とする場合において、図７のように、面ファスナー（７）と重ねるために、面ファスナー（２１）を保持ベルト（２）の一端の上面に取り付けた構造にすることも可能である。
（チ）バッグ（１）に直接、スナップボタン（６）、面ファスナー（９，１０）を取り付けてもよい。その場合は、土台ベルト（４）はバッグ（１）に取り付けなくて良い。
（リ）図８のように、着席中バッグ底面が膝の上に来るように載せる人のための追加部品として、スナップボタン（１４)をバッグ底面や取っ手にも取り付け、これに保持ベルト（２）のスナップボタン（５）をはめて保持できるようにすることも可能である。
（ヌ）スナップボタン（５，６）は、市販されているものを用いても、あるいは、それに代わる回転自在になる支点の役割を果たす部材を用いてもよい。又、取り外しできない部材を用いても構わない。
本発明は以上のような構造である。
【０００９】
本発明を使用するときは、図３に示すように未使用時の状態では、面ファスナー（７、８）が表出せず汚れない構造となっている。傘（１３）などの長尺物を保持するときは、保持ベルト（２）の左右両端を面ファスナー（９，１０）からはがし、図４に示すように、傘（１３）などの長尺物を保持ベルト（２）で包囲し、面ファスナー（８）と保持ベルト（３）の面ファスナー（１１）を重ね合わせて保持する。着席から起立時、その逆の動作とも、スナップボタン（５，６）を支点にして保持ベルト（２）が回転し、保持ベルト（２）の一端とその他端の下側の保持ベルト（３）によって包囲した傘（１３）などの長尺物を常に起立状態にするため、保持しなおす必要がない。尚、図６のように保持ベルト（３）を外した簡易構造とする場合、保持ベルト（２）を１８０度ひねり、面ファスナー（７）と面ファスナー（８）を重ね合わせて、傘（１３）などの長尺物を保持する。図７のように、保持ベルト（３）を外した簡易構造とし、又、面ファスナー（２１）を保持ベルト（２）の一端の上面に取り付けた場合、保持ベルト（２）をひねらずに、面ファスナー（７）と面ファスナー（２１）を重ね合わせて、傘（１３）などの長尺物を保持する。
【符号の説明】
【００１０】
１  バッグ側面、２  保持ベルト、３  保持ベルト、４  土台ベルト、
５  スナップボタン、６  スナップボタン、７  面ファスナー、
８  面ファスナー、９  面ファスナー、１０  面ファスナー    、
１１  面ファスナー、１２  糸、１３  傘、１４  スナップボタン、２１  面ファスナー
【図１】
2014128336.tif 000003
【図２】
2014128336.tif 000004
【図３】
2014128336.tif 000005
【図４】
2014128336.tif 000006
【図５】
2014128336.tif 000007
【図６】
2014128336.tif 000008
【図７】
2014128336.tif 000009
【図８】
2014128336.tif 000010